(57)【要約】【課題】壁面から突出した構造物を有する建物に好適に用いられうる昇降式足場２の提供。【解決手段】昇降式足場２は、２本のマスト４、デッキ６及び８個のモーター８（駆動部）を備えている。モーター８の回転により、マスト４に沿ってデッキ６が昇降する。デッキ６は、第一ユニット１０、マストカバー１２及び第二ユニット１４からなる。第二ユニット１４は、外桁５０及び内桁５４を備えている。外桁５０には、上レールが固定されている。内桁５４には、下レールが固定されている。下レールが上レールに対してスライドすることにより、外桁５０に対して内桁５４が移動する。この移動により、デッキ６が伸縮する。【選択図】図１
2010112051.tif 000002
【特許請求の範囲】
【請求項１】
実質的に鉛直方向に延びるマストと、実質的に水平方向に延びており作業者が立ちうるデッキと、このデッキをマストに沿って昇降させるための駆動部とを備えており、
上記デッキが、水平方向において伸縮しうる昇降式足場。
【請求項２】
上記デッキが、外桁とこの外桁に収納されうる内桁とを備えており、この内桁が外桁に対してスライドすることによってデッキが伸縮しうる請求項１に記載の足場。
【請求項３】
上記デッキが、外桁に固定された上レールと、上記内桁に固定された下レールとをさらに備えており、この下レールが上レールに対してスライドすることによってデッキが伸縮しうる請求項２に記載の足場。
【請求項４】
上記マストが実質的に鉛直方向に延びるラックを備えており、上記駆動部がラックと噛合するピニオンを備えており、このラックとピニオンとがデッキを昇降させる請求項１から３のいずれかに記載の足場。
【発明の詳細な説明】
【技術分野】
【０００１】
本発明は、建物のメンテナンス作業等に用いられる昇降式足場に関する。
【背景技術】
【０００２】
居住用マンション、商用ビル等の建物の外壁のメンテナンス作業に、仮設足場が用いられている。仮設足場は、多数の金属パイプが組み合わせて構成される。仮設足場は、地面から建物の最上部までを覆う。仮設足場の設置には、多大の労力を要する。仮設足場により日光が遮蔽されるので、建物の内部は暗い。仮設足場により、窓からの眺望が損なわれる。作業完了後、仮設足場は解体される。この解体作業にも、多大の労力を要する。
【０００３】
実開昭５７−１４４９７４号公報には、昇降式足場が開示されている。昇降式足場では、マストに沿ってデッキが昇降する。昇降式足場は、設置及び撤去が容易になされうる。昇降式足場では、日光の遮蔽、眺望の阻害はほとんど生じない。
【特許文献１】実開昭５７−１４４９７４号公報
【発明の開示】
【発明が解決しようとする課題】
【０００４】
出窓がある建物のメンテナンス作業に昇降式足場が用いられる場合、この出窓を避けて足場が設置される。従って作業者は、出窓の上方及び下方の壁面の前に立つことができない。出窓を有する建物に対する作業には、昇降式足場は適さない。バルコニー、ベランダ等がある建物に対する作業の場合も、同様に、昇降式足場は適さない。
【０００５】
本発明の目的は、出窓、バルコニー、ベランダ等の、壁面から突出した構造物を有する建物に好適に用いられうる昇降式足場の提供にある。
【課題を解決するための手段】
【０００６】
本発明に係る昇降式足場は、実質的に鉛直方向に延びるマストと、実質的に水平方向に延びており作業者が立ちうるデッキと、このデッキをマストに沿って昇降させるための駆動部とを備える。このデッキは、水平方向において伸縮しうる。
【０００７】
好ましくは、デッキは、外桁と、この外桁に収納されうる内桁とを備える。この内桁が外桁に対してスライドすることにより、デッキが伸縮しうる。
【０００８】
好ましくは、デッキは、外桁に固定された上レールと、上記内桁に固定された下レールとをさらに備える。この下レールが上レールに対してスライドすることにより、デッキが伸縮しうる。
【０００９】
好ましくは、マストは、実質的に鉛直方向に延びるラックを備える。駆動部は、ラックと噛合するピニオンを備える。このラックとピニオンとが第一デッキと第二デッキとを昇降させる。
【発明の効果】
【００１０】
本発明に係る昇降式足場では、デッキが収縮した状態で昇降しうるので、このデッキが出窓等と干渉しない。この足場では、デッキが伸張した状態で作業がなされうるので、広い作業領域が確保される。
【発明を実施するための最良の形態】
【００１１】
以下、適宜図面が参照されつつ、好ましい実施形態に基づいて本発明が詳細に説明される。
【００１２】
図１は、本発明の一実施形態に係る昇降式足場２が示された正面図である。この足場２は、２本のマスト４、デッキ６及び８個のモーター８（駆動部）を備えている。図１に示されるＸ方向は、水平方向であってデッキ６が延在する方向である。Ｚ方向は、鉛直方向である。
【００１３】
２本のマスト４は、互いに離間して設置されている。それぞれのマスト４は、図示されない脚により、地面Ｇの上に設置されている。マスト４は、鉛直方向に延びている。デッキ６は、水平方向に延在している。デッキ６は、第一ユニット１０、マストカバー１２及び第二ユニット１４からなる。第一ユニット１０は、２本のマスト４の間に位置している。第二ユニット１４は、マスト４の外側に位置している。
【００１４】
図２は、図１の足場２の一部が壁Ｗと共に示された拡大平面図である。この壁Ｗは、メンテナンス作業の対象である。図２には、マスト４、マストカバー１２及び駆動部１６が示されている。図２に示されるＹ方向は、水平方向であって壁Ｗに対して垂直な方向である。
【００１５】
マスト４は、センターポール１８、２本のサイドポール２０、梁２２、アーム２４及びラック２６を備えている。センターポール１８は、金属パイプからなる。このセンターポール１８は、延長方向に延在している（図１及び９も参照）。それぞれのサイドポール２０は、金属パイプからなる。このサイドポール２０は、延長方向に延在している。梁２２の端は、溶接等の手段により、ポールに固定されている。この梁２２により、３本のポール１８が一体化されている。アーム２４の一端は、溶接等の手段により、梁２２に固定されている。アーム２４の他端にはアンカーボルト２８が通されており、このアンカーボルト２８は壁Ｗに打ち込まれている。このアンカーボルト２８により、マスト４が壁Ｗに固定されている。ラック２６は、梁２２に固定されている。このラック２６は、延長方向に延在している（図１及び９も参照）。
【００１６】
マストカバー１２は、フレーム３０、床板３２、４個のガイドローラ３４及びフリーローラ３６を備えている。この実施形態では、床板３２としてパンチングメタルが用いられている。床板３２には、多数の開口３８が形成されている。ガイドローラ３４は、フレーム３０に固定されている。一対のガイドローラ３４が、サイドポール２０を挟持している。この挟持により、マストカバー１２のＹ方向への移動及びＹ方向と逆方向への移動が阻止されている。
【００１７】
駆動部１６は、モーター８及びピニオン４０からなる。モーター８は、マストカバー１２に固定されている。ピニオン４０は、モーター８と同軸状に位置しており、モーター８と固定されている。モーター８の駆動により、ピニオン４０が回転する。ピニオン４０は、ラック２６と噛合している。ピニオン４０とフリーローラ３６とにより、ラック２６が挟持されている。この挟持により、マストカバー１２のＸ方向への移動及びＸ方向と逆方向への移動が阻止されている。
【００１８】
モーター８は、他のモーター８と同期して正転及び逆転する。図示されない操作盤からの信号によりモーター８が正転すると、ラック−ピニオン機構により、デッキ６が上昇する。操作盤からの信号によりモーター８が逆転すると、ラック−ピニオン機構により、デッキ６が下降する。
【００１９】
図３は、図１の足場２の第一ユニット１０が示された拡大側面図である。第一ユニット１０は、桁４２、枕木４４、床板３２、幅木４６及び手すり４８を備えている。桁４２は、いわゆるトラス構造を備えている。枕木４４は桁４２に固定されている。床板３２は、枕木４４の上に敷かれている。図３に示されるように、作業者Ｍは、床板３２の上に立っている。
【００２０】
図４は、図１の足場２の第二ユニット１４が示された拡大側面図である。第二ユニット１４は、外桁５０、枕木４４、床板３２、幅木４６、手すり４８、レール５２及び内桁５４を備えている。外桁５０は、いわゆるトラス構造を備えている。枕木４４は外桁５０に固定されている。床板３２は、枕木４４の上に敷かれている。内桁５４は、いわゆるトラス構造を備えている。内桁５４は、レール５２によって外桁５０に吊されている。内桁５４は、外桁５０に収納されている。
【００２１】
図５は、図４の第二ユニット１４のレール５２が内桁５４と共に示された拡大断面図である。図６は、図５のレール５２が示された正面図である。図７は、図６のレール５２が示された断面図である。このレール５２は、上レール５６、下レール５８、コロ６０、押さえローラ６２及びハンガー６４を備えている。
【００２２】
上レール５６は、上板６６、側板６８及び底板７０を備えている。底板７０には、スリット７２が形成されている。このスリット７２は、Ｘ方向に延在している。上レール５６は、上ストッパー７４（図７参照）を備えている。この上ストッパー７４は、下方に向けて突出している。図７に示されるように、上レール５６は、溶接等の手段によって外桁５０に固定されている。
【００２３】
下レール５８は、上板７６及び側板７８を備えている。図６及び７では、下レール５８は、部分的に上レール５６に収納されている。下レール５８は、下ストッパー８０を備えている。この下ストッパー８０は、上方に向けて突出している。
【００２４】
コロ６０の軸８２は、下レール５８の側板７８に固定されている。図６から明らかなように、コロ６０の大部分は下レール５８に収納されているが、下部が部分的に下レール５８から露出している。コロ６０の幅（Ｙ方向の距離）は、スリット７２の幅に比して十分に大きい。コロ６０は、上レール５６の底板７０と当接している。この当接により、下レール５８の上レール５６との接触が阻止されている。
【００２５】
押さえローラ６２は、下レール５８の後端８４の近傍に位置している。この押さえローラ６２の軸８６は、下レール５８の側板７８に固定されている。押さえローラ６２は、部分的に、下レール５８から上方へ露出している。押さえローラ６２は、上レール５６の上板６６に当接している。この当接により、押さえローラ６２は下レール５８の後端８４の近傍を下方に押圧する。この押圧により、下レール５８の水平が維持される。
【００２６】
ハンガー６４の上端は、溶接等の手段により、下レール５８の上板７６に固定されている。ハンガー６４は、上板７６から垂下している。ハンガー６４は、上レール５６のスリット７２を通されている。ハンガー６４の幅はスリット７２の幅よりも小さいので、ハンガー６４は上レール５６の底板７０とは接触しない。図６及び７に示されるように、ハンガー６４の下端には内桁５４が固定されている。内桁５４は、ハンガー６４によって下レール５８に吊されている。
【００２７】
コロ６０の回転により、下レール５８は上レール５６に対してスライドしうる。下レール５８がＸ方向にスライドすると、内桁５４もＸ方向に移動する。この移動により、デッキ６が収縮する。下レール５８がＸ方向と逆方向にスライドすると、内桁５４もＸ方向と逆方向に移動する。この移動により、デッキ６が伸張する。下ストッパー８０が上ストッパー７４と当接すると、Ｘ方向と逆方向への下レール５８の移動が阻止される。上ストッパー７４及び下ストッパー８０により、下レール５８の上レール５６からの抜脱が阻止される。
【００２８】
図８は、図４の第二ユニット１４が示された正面図である。図８では、内桁５４の一部が外桁５０から引き出されている。図２において符号Ｌ２で示されているのは、デッキ６の全長である。この全長Ｌ２は、内桁５４が外桁５０に収納されているときの全長Ｌ１に比べて大きい。下ストッパー８０が上ストッパー７４と当接した状態において、全長Ｌ２は最大である。任意の位置で、下レール５８（図７参照）が上レール５６に固定されることにより、デッキ６の全長Ｌ２が所望の値とされうる。
【００２９】
外桁５０から内桁５４が引き出された後、この内桁５４に枕木８８が置かれる。この枕木８８の上に、床板３２が敷かれる。内桁５４に置かれる枕木８８は、外桁５０に置かれる枕木４４よりも高い。従って、内桁５４の床板３２と外桁５０の床板３２との間には、段差が生じない。図示されていないが、内桁５４にも、幅木４６及び手すり４８が取り付けられる。作業者Ｍは、内桁５４の上で作業を行うことができる。
【００３０】
図９から１１は、図１の足場２の使用方法が説明されるための正面図である。図９では、内桁５４が外桁５０から引き出されている。従って、デッキ６の全長は長い。作業者Ｍは、内桁５４の上に立っている。作業者Ｍは、出窓Ｂの下方の壁に対し、作業を行うことができる。
【００３１】
図１０には、矢印Ａの方向に上昇中のデッキ６が示されている。図１０では、内桁５４は外桁５０に収納されている。従って、デッキ６の全長は短い。作業者Ｍは、外桁５０の上に立っている。デッキ６は、出窓Ｂと干渉することなく、上昇できる。
【００３２】
図１１では、デッキ６は、出窓Ｂの上方で静止している。内桁５４は、外桁５０から引き出されている。従って、デッキ６の全長は長い。作業者Ｍは、内桁５４の上に立っている。作業者Ｍは、出窓Ｂの上方の壁に対し、作業を行うことができる。デッキ６が下降するときは、内桁５４が外桁５０に収納される。この収納により、下降時にデッキ６が出窓Ｂと干渉しない。
【００３３】
図１に示されるように、足場２は２つの第二ユニット１４を備えており、それぞれの第二ユニット１４が外桁５０及び内桁５４を備えている。換言すれば、両方の第二ユニット１４が伸縮しうる。伸縮可能なユニットの数は、１つでもよい。図１に示された足場２は、２本のマスト４を備えている。マスト４の数は１本でもよく、３本以上でもよい。
【産業上の利用可能性】
【００３４】
本発明に係る昇降式足場は、建物の新築及び解体にも用いられうる。この足場は、煙突、橋脚等にも設置されうる。
【図面の簡単な説明】
【００３５】
【図１】図１は、本発明の一実施形態に係る昇降式足場が示された正面図である。
【図２】図２は、図１の足場の一部が壁と共に示された拡大平面図である。
【図３】図３は、図１の足場の第一ユニットが示された拡大側面図である。
【図４】図４は、図１の足場の第二ユニットが示された拡大側面図である。
【図５】図５は、図４の第二ユニットのレールが内桁と共に示された拡大断面図である。
【図６】図６は、図５のレールが示された正面図である。
【図７】図７は、図６のレールが示された断面図である。
【図８】図８は、図４の第二ユニットが示された正面図である。
【図９】図９は、図１の足場の使用方法が説明されるための正面図である。
【図１０】図１０は、図１の足場の使用方法が説明されるための正面図である。
【図１１】図１１は、図１の足場の使用方法が説明されるための正面図である。
【符号の説明】
【００３６】
２・・・昇降式足場
４・・・マスト
６・・・デッキ
８・・・モーター
１０・・・第一ユニット
１２・・・マストカバー
１４・・・第二ユニット
１６・・・駆動部
１８・・・センターポール
２０・・・サイドポール
２６・・・ラック
３２・・・床板
３４・・・ガイドローラ
３６・・・フリーローラ
４０・・・ピニオン
４２・・・桁
４４、８８・・・枕木
４６・・・幅木
４８・・・手すり
５０・・・外桁
５２・・・レール
５４・・・内桁
５６・・・上レール
５８・・・下レール
６０・・・コロ
６２・・・押さえローラ
６４・・・ハンガー
７２・・・スリット
７４・・・上ストッパー
８０・・・下ストッパー
【図１】
2010112051.tif 000003
【図２】
2010112051.tif 000004
【図３】
2010112051.tif 000005
【図４】
2010112051.tif 000006
【図５】
2010112051.tif 000007
【図６】
2010112051.tif 000008
【図７】
2010112051.tif 000009
【図８】
2010112051.tif 000010
【図９】
2010112051.tif 000011
【図１０】
2010112051.tif 000012
【図１１】
2010112051.tif 000013